【手続補正書】
【提出日】平成25年5月14日(2013.5.14)
【手続補正１】
【補正対象書類名】特許請求の範囲
【補正対象項目名】全文
【補正方法】変更
【補正の内容】
【特許請求の範囲】
【請求項１】
入力画像で所定の間隔に位置する複数の画素の画素値の変化に基づいて、前記所定の間隔から決まる所定の周波数以上の信号成分が前記入力画像にどのくらい含まれるかを示す解像度判別信号を求める画像分析部を備えた画像処理装置であって、
前記画像分析部は、
前記入力画像の所定の領域内に存在する画素ごとに、その画素を基準として前記所定の間隔で位置する複数の画素の画素値から代表差分値を求めて出力する特徴量検出部と、
前記所定の領域内に存在する前記画素ごとに求めた前記代表差分値から特徴量合成値を求めて出力する特徴量合成部と、
前記特徴量合成値に対して単調非減少の関係を持つ解像度判別信号を前記特徴量合成値から求めて出力する解像度判別信号生成部を備える
ことを特徴とする画像処理装置。
【請求項２】
前記特徴量検出部は、
前入力画像の所定の領域内に存在する所定の画素ごとに、その画素を注目画素とし、前記注目画素を基準にして所定の方向に所定の間隔で並ぶＮ個の画素を注目画素群として設定し、前記注目画素群を構成するＮ個の画素によって与えられるＮ個の画素値を注目画素群画素値データとして出力する画素選択部と、
前記注目画素群画素値データを構成するＮ個の画素値から、隣接する２個の画素値の差であるＮ−１個の差分量を計算する差分計算部と、
Ｎ−１個の前記差分量の符号が所定のパターンである場合にゼロでない値を代表差分値として出力し、それ以外の場合にゼロを代表差分値として出力する代表差分計算部を備える
ことを特徴とする請求項１に記載の画像処理装置。
【請求項３】
Ｎ−１個の前記差分量の符号に対する前記所定のパターンは、正の値と負の値が交互に並ぶものであることを特徴とする請求項２に記載の画像処理装置。
【請求項４】
前記代表差分計算部は
Ｎ−１個の前記差分量の絶対値の最小値が所定のゼロ同等閾値より小さい場合は、前記代表差分値としてゼロを出力する
ことを特徴とする請求項２または請求項３に記載の画像処理装置。
【請求項５】
前記代表差分計算部は
Ｎ−１個の前記差分量の符号が前記所定のパターンである場合に、Ｎ−１個の前記差分量の絶対値の最小値を代表差分値として出力し、それ以外の場合にゼロを代表差分値として出力する
ことを特徴とする請求項２ないし請求項４の何れかに記載の画像処理装置。
【請求項６】
前記代表差分計算部は
Ｎ−１個の前記差分量の絶対値の最小値が所定の上限差分値より大きい場合は、前記代表差分値として前記上限差分値を出力する
ことを特徴とする請求項５に記載の画像処理装置。
【請求項７】
前記特徴量検出部は、
前記注目画素群ごとに、前記注目画素群画素値データを代表する代表輝度値を求めて出力する代表輝度計算部を備え、
前記特徴量合成部は、
前記代表輝度値に対して単調非増加の関係を持つ重み係数を求め、前記代表差分値にこの重み係数を掛けて和をとって前記特徴量合成値を求めて出力する
ことを特徴とする請求項５または請求項６に記載の画像処理装置。
【請求項８】
前記代表輝度計算部は、
前記注目画素群画素値データのうち、絶対値が最小となる前記差分量を求めた２個の画素値のうち大きい方の値を前記代表輝度として出力する
ことを特徴とする請求項７に記載の画像処理装置。
【請求項９】
前記代表差分計算部は
Ｎ−１個の前記差分量の符号が所定のパターンである場合に、固定値を前記代表差分値として出力し、それ以外の場合にゼロを前記代表差分値として出力する
ことを特徴とする請求項２ないし請求項４の何れかに記載の画像処理装置。
【請求項１０】
前記差分量の絶対値が所定値よりも小さい場合に前記差分量をゼロとする
ことを特徴とする請求項２ないし請求項９の何れかに記載の画像処理装置。
【請求項１１】
前記解像度判別信号は、
前記入力画像の画素値の変化に、前記所定の周波数以上の信号成分が多く含まれるほど大きな値をとる
ことを特徴とする請求項１ないし請求項１０の何れかに記載の画像処理装置。
【請求項１２】
動画を入力とする画像処理装置であって、
前記動画を構成する画像ごとに前記画像分析部が求めた前記解像度判別信号が時系列に入力され、時系列処理後解像度判別信号を生成する時系列分析部を備える
ことを特徴とする請求項１ないし請求項１１の何れかに記載の画像処理装置。
【請求項１３】
前記時系列分析部は、所定の上限値と下限値の範囲の前記時系列処理後解像度判別信号を出力し、
第１の閾値より大きい前記解像度判別信号が入力された場合に、前記時系列処理後解像度判別信号が前記上限値よりも小さければ、前記時系列分析部は前記時系列処理後解像度判別信号を増加させ、
前記第１の閾値より小さく設定された第２の閾値より小さい前記解像度判別信号が入力された場合に、前記時系列処理後解像度判別信号が前記下限値よりも大きければ、前記時系列分析部は前記時系列処理後解像度判別信号を減少させる
ことを特徴とする請求項１２記載の画像処理装置。
【請求項１４】
前記時系列分析部は、
前記解像度判別信号が入力されて累積加算解像度判別信号を出力する累積加算部と、
前記累積加算解像度判別信号が入力され前記時系列処理後解像度判別信号を出力する履歴補正部とを備え、
前記累積加算部は、所定の第１の上限値と第１の下限値の範囲の前記累積加算解像度判別信号を出力し、
第１の閾値より大きい前記解像度判別信号が入力された場合に、前記累積加算解像度判別信号が前記第１の上限値よりも小さければ、前記累積加算部は前記累積加算解像度判別信号を増加させ、
前記第１の閾値より小さく設定された第２の閾値より小さい前記解像度判別信号が入力された場合に、前記累積加算解像度判別信号が前記第１の下限値よりも大きければ、前記累積加算部は前記累積加算解像度判別信号を減少させ、
前記履歴補正部は、所定の第２の上限値と第２の下限値の範囲の前記時系列処理後解像度判別信号を出力し、
前記第１の上限値より小さく設定された第３の閾値より大きい前記累積加算解像度判別信号が入力されてから、前記第３の閾値より小さくかつ前記第１の下限値より大きく設定された第４の閾値より小さい前記累積加算解像度判別信号が入力されるまでは、前記時系列処理後解像度判別信号が前記第２の上限値よりも小さければ、前記履歴補正部は前記時系列処理後解像度判別信号を増加させ、
前記第４の閾値より小さい前記累積加算解像度判別信号が入力されてから、前記第３の閾値より大きい前記累積加算解像度判別信号が入力されるまでは、前記時系列処理後解像度判別信号が前記第２の下限値よりも大きければ、前記履歴補正部は前記時系列処理後解像度判別信号を減少させる
ことを特徴とする請求項１２記載の画像処理装置。
【請求項１５】
前記解像度判別信号に応じて処理内容を変化させて前記入力画像を処理する画像処理演算部を備える
ことを特徴とする請求項１ないし請求項１１の何れかに記載の画像処理装置。
【請求項１６】
前記画像処理演算部が、前記解像度判別信号に応じて処理内容を変化させて前記入力画像に含まれるノイズを除去するノイズ除去部を有する
ことを特徴とする請求項１５に記載の画像処理装置。
【請求項１７】
前記画像処理演算部が、前記入力画像から特定の周波数帯域近傍の成分を取り出した第１の周波数成分画像をもとに生成した第２の周波数成分画像を前記入力画像に加算することで、前記解像度判別信号に応じて処理内容を変化させて前記入力画像の細部を強調する強調処理部有する
ことを特徴とする請求項１５に記載の画像処理装置。
【請求項１８】
前記時系列処理後解像度判別信号に応じて処理内容を変化させて前記入力画像を処理する画像処理演算部を備える
ことを特徴とする請求項１２ないし請求項１４の何れかに記載の画像処理装置。
【請求項１９】
前記時系列処理後解像度判別信号に応じて処理内容を変化させて前記入力画像を処理する画像処理演算部を備える
ことを特徴とする請求項１８に記載の画像処理装置。
【請求項２０】
前記画像処理演算部が、前記入力画像から特定の周波数帯域近傍の成分を取り出した第１の周波数成分画像をもとに生成した第２の周波数成分画像を前記入力画像に加算することで、前記時系列処理後解像度判別信号に応じて処理内容を変化させて前記入力画像の細部を強調する強調処理部有する
ことを特徴とする請求項１８に記載の画像処理装置。
【手続補正２】
【補正対象書類名】明細書
【補正対象項目名】０００５
【補正方法】変更
【補正の内容】
【０００５】
本発明の画像処理装置は、入力画像で所定の間隔に位置する複数の画素の画素値の変化に基づいて、前記所定の間隔から決まる所定の周波数以上の信号成分が前記入力画像にどのくらい含まれるかを示す解像度判別信号を求める画像分析部を備えたものであって、この画像分析部は、入力画像の所定の領域内に存在する画素ごとに、その画素を基準として所定の間隔で位置する複数の画素の画素値から代表差分値を求めて出力する特徴量検出部と、所定の領域内に存在する画素ごとに求めた代表差分値から特徴量合成値を求めて出力する特徴量合成部と、特徴量合成値に対して単調非減少の関係を持つ解像度判別信号を特徴量合成値から求めて出力する解像度判別信号生成部を備えものである。